(57)【要約】      （修正有）【課題】カードホルダーへの取り付けを簡単且つ容易に行えると共に、部品点数の削減及び組立の簡略化を図れ、然も、宣伝効果や広告効果が得られるクリップとカードホルダーを提供する。【解決手段】多種多様のカードＣを保持するカードホルダーのカード保持板３の一辺に取り付けられ、弾性を有する金属板又は合成樹脂板により形成したコ字形の片面をフラットにしたクリップ１であって、前記片面をフラットにしたクリップ１は、カード保持板３の一端面に対向する背板部１ａと、背板部１ａに連設され、カード保持板３の裏面に密着状態で当接するフラットなプレート状の基板部１ｂと、背板部１ａに連設され、先端部に外方へ曲げられた湾曲部を有すると共に、当該湾曲部がカード保持板３の表面に弾性的に当接する押え板部１ｃとから構成する。【選択図】図５
0003150715.tif 000002
【実用新案登録請求の範囲】
【請求項１】
多種多様のカード（Ｃ）を保持するカードホルダーのカード保持板（３）の一辺に取り付けられ、弾性を有する金属板又は合成樹脂板により形成したコ字形の片面をフラットにしたクリップ（１）であって、前記片面をフラットにしたクリップ（１）は、カード保持板（３）の一端面に対向する背板部（１ａ）と、背板部（１ａ）に連設され、カード保持板（３）の裏面に密着状態で当接するフラットなプレート状の基板部（１ｂ）と、背板部（１ａ）に連設され、先端部に外方へ曲げられた湾曲部（１ｃ′）を有すると共に、当該湾曲部（１ｃ′）がカード保持板（３）の表面に弾性的に当接する押え板部（１ｃ）とから成ることを特徴とする片面をフラットにしたクリップ。
【請求項２】
片面をフラットにしたクリップ（１）の基板部（１ｂ）に、押え板部（１ｃ）側へ突設してカード保持板（３）又は紙類に浅い差し込み状態又は噛み込み状態で係止される一つ又は複数の係止片（１ｄ）を一体的に形成したことを特徴とする請求項１に記載の片面をフラットにしたクリップ。
【請求項３】
基板部（１ｂ）の係止片（１ｄ）は、基板部（１ｂ）の先端両側の隅角部又は先端両側へ突設した両耳部を押え板部（１ｃ）側へ折り曲げることにより形成されていることを特徴とする請求項２に記載の片面をフラットにしたクリップ。
【請求項４】
片面をフラットにしたクリップ（１）の少なくとも押え板部（１ｃ）の内面に、カード（Ｃ）挿入時のガイド機能を有すると共にカード（Ｃ）に傷が付くのを防止する合成樹脂製の保護シート（２）を貼り付けたことを特徴とする請求項１、請求項２又は請求項３に記載の片面をフラットにしたクリップ。
【請求項５】
表面にカード（Ｃ）を保持できる矩形状のカード保持板（３）と、カード保持板（３）の一辺に取り付けられる請求項１乃至請求項４の何れかに記載の片面をフラットにしたクリップ（１）とから成り、片面をフラットにしたクリップ（１）の基板部（１ｂ）と押え板部（１ｃ）との間にカード保持板（３）の一辺を挿入し、片面をフラットにしたクリップ（１）の基板部（１ｂ）の内面を接着剤又は両面粘着テープによりカード保持板（３）の裏面に貼り付けることによって、片面をフラットにしたクリップ（１）をカード保持板（３）に固定するようにしたことを特徴とするカードホルダー。
【請求項６】
表面にカード（Ｃ）を保持できる矩形状のカード保持板（３）と、カード保持板（３）の一辺に取り付けられる請求項１乃至請求項４の何れかに記載の片面をフラットにしたクリップ（１）とから成り、片面をフラットにしたクリップ（１）の基板部（１ｂ）と押え板部（１ｃ）との間にカード保持板（３）の一辺を挿入し、片面をフラットにしたクリップ（１）の基板部（１ｂ）の外面及びカード保持板（３）の裏面全域に粘着層を有するシート材（５）を貼り付けることによって、片面をフラットにしたクリップ（１）をカード保持板（３）に固定するようにしたことを特徴とするカードホルダー。
【請求項７】
表面にカード（Ｃ）を保持できる矩形状のカード保持板（３）と、カード保持板（３）の一辺に取り付けられる請求項２乃至請求項４の何れかに記載の片面をフラットにしたクリップ（１）とから成り、片面をフラットにしたクリップ（１）の基板部（１ｂ）と押え板部（１ｃ）との間にカード保持板（３）の一辺を挿入し、基板部（１ｂ）に形成した係止片（１ｄ）をカード保持板（３）の裏面側からカード保持板（３）に差し込んで係止させることによって、片面をフラットにしたクリップ（１）をカード保持板（３）に固定するようにしたことを特徴とするカードホルダー。
【請求項８】
カード保持板（３）の四隅の何れか一個所に片面をフラットにしたクリップ（１）を取り付けたことを特徴とする請求項５、請求項６又は請求項７に記載のカードホルダー。
【請求項９】
カード保持板（３）の少なくとも表面に、文字や図形、写真を表示した宣伝広告用のシール（４）の貼り付けや印刷をしたことを特徴とする請求項５、請求項６又は請求項７に記載のカードホルダー。
【考案の詳細な説明】
【技術分野】
【０００１】
本考案は、紙類を集積保持するペーパーホルダーやＩＣカード、磁気カード、ポイントカード等の多種多様のカードを収納保持するカードホルダーに用いる片面をフラットにしたクリップと、これを用いたカードホルダーの改良に係り、特に、紙類を集積保持した状態において位置ずれを生ぜず、構造が簡単でカードホルダーへの取り付けを簡単且つ容易に行えるようにした片面をフラットにしたクリップと、部品点数の削減及び組立の簡略化が図れると共に高い宣伝広告効果が得られるようにした片面をフラットにしたクリップを用いたカードホルダーに関するものである。
【背景技術】
【０００２】
従来、クレジットカードやキャッシュカード、定期券等の各種カードを収納保持するカードホルダーに用いるカードホルダー用クリップ及びこれを用いたカードホルダーとしては、例えば、本件出願人が先に出願した登録実用新案第３１４５９７０号公報（特許文献１）に開示されたカードホルダー用クリップ及びカードホルダーが知られている。
【０００３】
即ち、特許文献１で用いられているカードホルダー用クリップは、その図７等に示させているように、両面にカードを保持できる矩形状のカード保持板の一端面に対向する背板部と、背板部の上下両端に連設され、先端部に外方へ曲げられた湾曲部を有すると共に、当該湾曲部がカード保持板の両面に弾性的に当接する上下一対の板バネ部とから成り、カード保持板の一辺に上下一対の板バネ部がカード保持板を挟む状態で取り付けられている。
【０００４】
また、カードホルダーは、両面にカードを保持できる矩形状のカード保持板と、カード保持板の一辺両面に設けられたストッパーと、カード保持板のストッパーを設けた一辺に取り付けられた上述したカードホルダー用クリップとから構成されている。
【０００５】
上述したカードホルダー用クリップを用いたカードホルダーに於いては、クリップの上下一対の板バネ部がカード保持板を挟む状態でカード保持板の一辺に取り付けられているため、一つのクリップでカード保持板の両面にそれぞれ複数枚のカードを収納保持することができ、多数枚のカードの保管や管理に極めて便利である。
【０００６】
ところで、上述したカードホルダー用クリップを用いたカードホルダーに於いては、クリップの上下一対の板バネ部間にカード保持板のストッパーを設けた一辺を挿入し、この状態で上下一対の板バネ部、両ストッパー及びカード保持板の一辺に支持軸を挿通することによって、カードホルダー用クリップをカード保持板の一辺に取り付けたり、或いは、カード保持板のストッパーを設ける一辺にクリップの背板部が嵌め込まれる切欠部を形成し、当該切欠部内にクリップの背板部を嵌め込んで上下一対の板バネ部でカード保持板を挾み込み、この状態でカード保持板の一辺両面にそれぞれストッパーを取り付けて切欠部の開口部分を塞ぐことによって、カードホルダー用クリップをカード保持板の一辺に取り付けるようにしている。
【０００７】
然し乍ら、前者の場合は、カードホルダー用クリップの上下一対の板バネ部、両ストッパー及びカード保持板の一辺にそれぞれ支持軸を通すための孔を開け、当該孔に支持軸を挿通しなければならず、カードホルダー用クリップのカード保持板への取り付けに手数がかかると云う問題がある。
また、後者の場合も、カード保持板に切欠部を形成したり、カード保持板の一辺両面にそれぞれストッパーを取り付けたりしなければならないため、前者と同様にカードホルダー用クリップのカード保持板への取り付けに手数がかかると云う問題がある。
更に、両者は、何れもカード保持板の一辺両面にストッパーをそれぞれ設けているため、部品点数が増えると共に、ストッパーをカードホルダーの一辺両面に取り付けなければならず、カードホルダーの組立に極めて手数がかかると云う問題がある。
【０００８】
尚、特許文献１のカードホルダー用クリップは、紙類を集積保持するためのペーパークリッパーとしても利用されることがあるが、この場合には、挟み込みした紙類とクリップの背板部との間に滑りが生じて、紙類に対してクリップが位置ずれを起し易いと言う問題がある。
【先行技術文献】
【特許文献】
【０００９】
【特許文献１】登録実用新案第３１４５９７０号公報
【考案の概要】
【考案が解決しようとする課題】
【００１０】
本考案は、このような問題点に鑑みて為されたものであり、その目的は、紙類の集積保持中に紙に対して位置ずれを生ぜず、且つ、カードホルダーへも取り付けを簡単且つ容易に行えるようにした片面をフラットにしたクリップと、部品点数の削減及び組立の簡略化が図れ、然も、宣伝広告効果が得られるようにした片面をフラットにしたクリップを用いたカードホルダーを提供することにある。
【課題を解決するための手段】
【００１１】
上記目的を達成するために、本考案の請求項１の考案は、多種多様のカードを保持するカードホルダーのカード保持板の一辺に取り付けられ、弾性を有する金属板又は合成樹脂板により形成したコ字形の片面をフラットにしたクリップであって、前記片面をフラットにしたクリップは、カード保持板の一端面に対向する背板部と、背板部に連設され、カード保持板の裏面に密着状態で当接するフラットなプレート状の基板部と、背板部に連設され、先端部に外方へ曲げられた湾曲部を有すると共に、当該湾曲部がカード保持板の表面に弾性的に当接する押え板部とから成ることに特徴がある。
【００１２】
本考案の請求項２の考案は、請求項１に記載の考案に於いて、片面をフラットにしたクリップの基板部に、押え板部側へ突設してカード保持板又は紙類に浅い差し込み状態又は噛み込み状態で係止される一つ又は複数の係止片を一体的に形成したことに特徴がある。
【００１３】
本考案の請求項３の考案は、請求項２に記載の考案に於いて、基板部の係止片が、基板部の先端両側の隅角部又は先端両側に突設した両耳部を押え板部側へ折り曲げることにより形成されていることに特徴がある。
【００１４】
本考案の請求項４の考案は、請求項１、請求項２又は請求項３に記載の考案に於いて、片面をフラットにしたクリップの少なくとも押え板部の内面に、カード挿入時のガイドを兼ねると共にカードが傷付くのを防止する合成樹脂製の保護シートを貼り付けしたことに特徴がある。
【００１５】
本考案の請求項５の考案は、表面にカードを保持できる矩形状のカード保持板と、カード保持板の一辺に取り付けられる請求項１乃至請求項４の何れかに記載の片面をフラットにしたクリップとから成り、片面をフラットにしたクリップの基板部と押え板部との間にカード保持板の一辺を挿入し、片面をフラットにしたクリップの基板部の内面を接着剤又は両面粘着テープによりカード保持板の裏面に貼り付けることによって、片面をフラットにしたクリップをカード保持板に固定するようにしたことに特徴がある。
【００１６】
本考案の請求項６の考案は、表面にカードを保持できる矩形状のカード保持板と、カード保持板の一辺に取り付けられる請求項１乃至請求項４の何れかに記載の片面をフラットにしたクリップとから成り、片面をフラットにしたクリップの基板部と押え板部との間にカード保持板の一辺を挿入し、片面をフラットにしたクリップの基板部の外面及びカード保持板の裏面全域に粘着層を有するシート材を貼り付けることによって、片面をフラットにしたクリップをカード保持板に固定するようにしたことに特徴がある。
【００１７】
本考案の請求項７の考案は、表面にカードを保持できる矩形状のカード保持板と、カード保持板の一辺に取り付けられる請求項２乃至請求項４の何れかに記載の片面をフラットにしたクリップとから成り、片面をフラットにしたクリップの基板部と押え板部との間にカード保持板の一辺を挿入し、基板部に形成した係止片をカード保持板の裏面側からカード保持板に差し込んで係止させることによって、片面をフラットにしたクリップをカード保持板に固定するようにしたことに特徴がある。
【００１８】
本考案の請求項８の考案は、請求項５、請求項６又は請求項７に記載の考案に於いて、カード保持板の四隅の何れか一個所に片面をフラットにしたクリップを取り付けたことに特徴がある。
【００１９】
本考案の請求項９の考案は、請求項５、請求項６又は請求項７に記載の考案に於いて、カード保持板の少なくとも表面に、文字や図形、写真を表示した宣伝広告用のシールを貼り付け又は印刷したことに特徴がある。
【考案の効果】
【００２０】
本考案の請求項１に係る片面をフラットにしたクリップ（以下、単にクリップと呼ぶ）は、カードホルダーのカード保持板の裏面に密着状態で当接するフラットなプレート状の基板部を備えているため、基端部を接着剤や両面粘着テープ等によりカード保持板の裏面に貼り付けることができ、カード保持板への取り付けを簡単且つ容易に行える。
【００２１】
また、本考案の請求項１に係るクリップは、カード保持板の一辺に取り付けたときに、基板部がカード保持板の裏面に密着状態で当接するため、カード保持板の一辺に安定した姿勢で取り付けることができる。
更に、本考案の請求項１に係るクリップは、フラットなプレート状の基板部を備えているため、ペーパーホルダーやカードホルダーのクリップとして使用した場合には、クリップの裏面側部分（基板部）に曲がり部分がないので、裏面側の引っ掛かりがなくなり、スムーズに取り扱える。
【００２２】
本考案の請求項２乃至請求項４に係るクリップは、上記効果に加えて更に次のような優れた効果を奏することができる。
【００２３】
即ち、本考案の請求項２に係るクリップは、フラットなプレート状の基板部に、押え板部側へ突設してカード保持板又は紙類に浅い差し込み状態又は噛み込み状態で係止される一つ又は複数の係止片を一体的に形成しているため、挟みこんだ紙類との相対位置にずれを生じない。また、このクリップは、カード保持板の一辺に強固に取り付けることができる。
【００２４】
本考案の請求項３に係るクリップは、基板部の係止片が、基板部の先端両側の隅角部を押え板部側へ折り曲げることにより又は基板部の先端両側にそれぞれ耳部を突設し、両耳部を押え板部側へ折り曲げることにより形成されているため、カード保持板の一辺により一層安定した姿勢で強固に取り付けることができる。然も、ペーパーホルダーとして使用した場合には、紙類を集積保持した状態において位置ずれを生じることがない。
【００２５】
本考案の請求項４に係るクリップは、少なくとも押え板部の内面に、ガイド機能を有し、且つカードが傷付くのを防止するための合成樹脂製の保護シートを貼り付けているため、カード自体の挿入が容易となり、しかもカードが傷付くのを防止することができる。
【００２６】
本考案の請求項５に係るカードホルダーは、矩形状のカード保持板と、カード保持板の一辺に取り付けられる請求項１乃至請求項４の何れかに記載のクリップとから成り、クリップの基板部と押え板部との間にカード保持板の一辺を挿入し、クリップのフラットなプレート状の基板部の内面を接着剤又は両面粘着テープによりカード保持板の裏面に貼り付けることによって、クリップをカード保持板に固定するようにしているため、クリップのカード保持板への取り付けを簡単且つ容易に行えると共に、クリップがカード保持板の一辺に安定した姿勢で取り付けられる。
【００２７】
また、本考案の請求項５に係るカードホルダーは、カード保持板とクリップの二物品から成るため、部品点数が少なくて済み、組立の簡略化を図れる。
更に、本考案の請求項５に係るカードホルダーは、矩形状のカード保持板の一辺にクリップを取り付けているため、カード保持板の残りの三辺は何も設けていない状態となっているので、カードの出し入れを多方向から行えて取扱性に優れたものとなる。
【００２８】
本考案の請求項６乃至請求項９に係るカードホルダーは、上記効果に加えて更に次のような優れた効果を奏することができる。
【００２９】
即ち、本考案の請求項６に係るカードホルダーは、矩形状のカード保持板と、カード保持板の一辺に取り付けられる請求項１乃至請求項４の何れかに記載のクリップとから成り、クリップの基板部と押え板部との間にカード保持板の一辺を挿入し、クリップの基板部の外面及びカード保持板の裏面全域に粘着層を有するシート材を貼り付けることによって、クリップをカード保持板に固定するようにしているため、クリップがカード保持板の一辺により一層安定した姿勢で強固に取り付けられることになり、クリップがカード保持板から脱落するのを確実に防止することができる。
【００３０】
本考案の請求項７に係るカードホルダーは、矩形状のカード保持板と、カード保持板の一辺に取り付けられる請求項２乃至請求項４の何れかに記載のクリップとから成り、クリップの基板部と押え板部との間にカード保持板の一辺を挿入し、基板部に形成した係止片をカード保持板の裏面側からカード保持板に差し込んで係止させることによって、クリップをカード保持板に固定するようにしているため、クリップがカード保持板の一辺により一層安定した姿勢で強固に取り付けられることになり、クリップがカード保持板から脱落するのを防止することができる。
【００３１】
本考案の請求項８に係るカードホルダーは、カード保持板の四隅の一個所に片面をフラットにしたクリップを取り付けているため、カード保持板の表面に重ねた状態で収納保持した複数枚のカードを扇形に開いた状態で保持することができ、各カードの表面を見ることができてカードの種類を瞬時に判別できる。
【００３２】
本考案の請求項９に係るカードホルダーは、カード保持板の少なくとも表面に、文字や図形、写真を表示した宣伝広告用のシールを貼り付けたり、或いはシート材の表面に文字や図形、写真を入れ、シート材の表面を宣伝広告用の表示部としているため、優れた宣伝効果や広告効果が得られ、カードホルダーのグレードを高めることができる。
【図面の簡単な説明】
【００３３】
【図１】本考案の実施の形態に係るクリップの拡大斜視図である。
【図２】図１に示すクリップの拡大側面図である。
【図３】本考案の他の実施の形態に係るクリップの拡大斜視図である。
【図４】図２に示すクリップの拡大側面図である。
【図５】図１に示すクリップを用いた本考案の実施の形態に係るカードホルダーを示し、当該カードホルダーを表面側から見た斜視図である。
【図６】図１に示すクリップを用いた本考案の実施の形態に係るカードホルダーを示し、当該カードホルダーを裏面側から見た斜視図である。
【図７】図５に示すカードホルダーの拡大縦断面図である。
【図８】図５に示すカードホルダーの使用状態を示す拡大縦断面図である。
【図９】図５に示すカードホルダーの使用状態を示す平面図である。
【図１０】図１に示すクリップを用いた本考案の他の実施の形態に係るカードホルダーを示し、当該カードホルダーを裏面側から見た斜視図である。
【図１１】図１０に示すカードホルダーの拡大縦断面図である。
【図１２】図３に示すクリップを用いた本考案の更に他の実施の形態に係るカードホルダーを示し、当該カードホルダーを裏面側から見た斜視図である。
【図１３】図１２に示すカードホルダーの拡大縦断面図である。
【考案を実施するための形態】
【００３４】
以下、本考案の実施の形態を図面に基づいて詳細に説明する。
図１及び図２は本考案の実施の形態に係るクリップ１を示し、当該クリップ１は、ステンレス板等の弾性を有する一枚の金属板をコ字形に折り曲げることにより形成されており、カードホルダーのカード保持板３の一端面に対向する横長の背板部１ａと、背板部１ａの一方の長辺に連設され、カード保持板３の裏面に密着状態で当接するフラットなプレート状の基板部１ｂと、背板部１ａの他方の長辺に連設され、先端部に外方へ曲げられた湾曲部１ｃ′を有すると共に、当該湾曲部１ｃ′がカード保持板３の表面に弾性的に当接する押え板部１ｃとから成る。
【００３５】
また、クリップ１は、その押え板部１ｃの内面全域に合成樹脂製の保護シート２（この例では、厚みが０．２〜０．３ｍｍ程度の透明なアクリル薄板）が接着剤又は両面粘着テープにより貼り付けられており、カードＣ自体が金属製の片面をフラットにしたクリップ１により傷付くのを防止できるようになっている。この保護シート２は、図１及び図２では、その長さが押え板部１ｃの長さとほぼ同じ長さに設定されているが、保護シート２の先端を押え板部１ｃの先端から外方へ突出させるようにしても良い。
尚、合成樹脂製の保護シート２に替えて押え板部１ｃの内面全域に、カードＣが傷付くのを防止する合成樹脂のコーティング２′（例えば、フッ素樹脂のコーティング２′）を施すようにしても良い。
【００３６】
前記クリップ１は、カード保持板３の一辺に取り付けられるものであり、カード保持板３へ取り付ける前には、押え板部１ｃの湾曲部１ｃ′が基板部１ｂの内面に弾性的に当接するようになっている。
また、クリップ１の弾性力は、クリップ１をカード保持板３の一辺に取り付けたときに、カード保持板３と押え板部１ｃとの間に複数枚のカードＣを重ねた状態で挿入することができ、且つカード保持板３と押え板部１ｃとの間に挿入された一枚のカードＣ又は複数枚のカードＣを確実且つ良好に保持できるように設定されている。
【００３７】
上述したクリップ１は、カードホルダーのカード保持板３の裏面に密着状態で当接するフラットなプレート状の基板部１ｂを備えているため、基端部１ｂを接着剤や両面粘着テープによってカード保持板３の裏面に貼り付けることができ、カード保持板３への取り付けを簡単且つ容易に行える。
また、このクリップ１は、カード保持板３の一辺に取り付けたときに、基板部１ｂがカード保持板３の裏面に密着状態で当接するため、カード保持板３の一辺に安定した姿勢で取り付けることができる。
更に、このクリップ１は、押え板部１ｃの内面に合成樹脂製の保護シート２を貼り付けたり、或いは押え板部１ｃの内面に合成樹脂のコーティング２′を施しているため、カードＣ自体が傷付くのを防止することができる。
【００３８】
図３及び図４は本考案の他の実施の形態に係るクリップ１を示し、当該クリップ１は、フラットなプレート状の基板部１ｂに、押え板部１ｃ側へ突設してカード保持板３（又は積層した紙類）に浅い差し込み状態又は噛み込み状態で係止されるカード保持板３（又は積層した紙類）の厚みを超えない高さを有する一つ又は複数の係止片１ｄを一体的に形成したものである。
【００３９】
即ち、このクリップ１は、基板部１ｂに係止片１ｄを形成したこと以外は、図１及び図２に示すクリップ１と全く同じ構造に構成されており、図１及び図２に示すクリップ１と同じ部位・部材には同一の参照番号を付し、その詳細な説明を省略する。
【００４０】
前記基板部１ｂに形成した係止片１ｄは、基板部１ｂの先端両側の隅角部を押え板部１ｃ側へ直角に折り曲げることにより形成されており、その高さはカード保持板３の厚み（又は積層した紙類の厚み）と同じか、或いはカード保持板３の厚み（又は積層した紙類の厚み）を越えないように設定されている。
この二つの係止片１ｄは、基板部１ｂの先端両側の隅角部を押え板部１ｃ側へ折り曲げて形成しているため、押え板部１ｃの湾曲部１ｃ′が係止片１ｄの上に乗った状態となる。そのため、このクリップ１は、カード保持板３へ取り付ける前には、基板部１ｂの先端と押え板部１ｃの先端との間に僅かな隙間ができた格好になる。
尚、前記図３のクリップでは、基板部１ｂの先端両側の隅角部を折り曲げて係止片１ｄを形成したが、基板部１bの先端両側にそれぞれ耳部を突設し、両耳部を押え板部１ｃ側へ直角に折り曲げることにより、係止片１ｄを形成するようにしても良い。この場合、二つの係止片１ｄは、基板部１ｂの先端両側に突設形成した耳部を折り曲げることにより形成されているため、押え板部１ｃの先端側に形成した湾曲部１ｃ′と干渉することも無い。
【００４１】
上述したクリップ１は、図１及び図２に示すクリップ１と同様の作用効果を奏することができる。然も、このクリップ１は、フラットなプレート状の基板部１ｂに、押え板部１ｃ側へ突設してカード保持板３に浅い差し込み状態又は噛み込み状態で係止されるカード保持板３の厚みを超えない高さを有する二つの係止片１ｄを一体的に形成しているため、カード保持板３の一辺により一層強固に取り付けることができる。
【００４２】
図５乃至図９は本考案の実施の形態に係るカードホルダーを示し、当該カードホルダーは、表面にカードＣを保持できる矩形状のカード保持板３と、カード保持板３の一辺に取り付けられる図１及び図２に示すクリップ１とから成り、カード保持板３の表面にクレジットカードやキャッシュカード、定期券等のカードＣを一枚又は複数枚重ねた状態で収納保持できるようにしたものである。
この実施の形態に於いては、カードホルダーは、厚みのあるＩＣカードなら５枚程度、厚みの薄い磁気カードなら１２枚程度挿着できるようになっている。
【００４３】
前記カード保持板３は、アクリル等の合成樹脂板によりクレジットカード等のカードＣと略同じ大きさの長方形状に形成されており、その長さ（カード保持板３の長辺の長さ）は、カードＣの長さと同じ長さに設定され、また、その幅（カード保持板３の短辺の長さ）は、カードＣの幅と同じ幅に設定されている。
更に、カード保持板３の表面には、メーカー名や商品名等の文字や図形、写真等を印刷により表示した宣伝広告用のシール４が一枚又は複数枚貼り付けられている。
尚、カード保持板３の合成樹脂板には、着色された合成樹脂板又は透明な合成樹脂板若しくは半透明の合成樹脂板が使用されている。
【００４４】
一方、クリップ１は、図１及び図２に示したクリップ１とほぼ同じ構造及び形状に構成されており、図１及び図２に示すクリップ１と同じ部位・部材には同一の参照番号を付し、その詳細な説明を省略する。但し、クリップ１に貼り付けた保護シート２は、その先端２″が図５、図７乃至図９に示すようにクリップ１の先端（押え板部１ｃの先端）から外方へ突出した状態となっている。
このクリップ１は、カード保持板３の四隅の一個所（カード保持板３の一方の長辺側端部）に取り付けられており、基板部１ｂと押え板部１ｃとの間にカード保持板３の一方の長辺側端部を挿入し、基板部１ｂの内面を接着剤又は両面粘着テープによりカード保持板３の裏面に貼り付けることによって、カード保持板３の一辺に取り付けられている。
【００４５】
而して、上述したカードホルダーにカードＣを収納保持するには、カードＣをカード保持板３の表面に当接させ、この状態でカードＣをカード保持板３に沿わせてスライドさせ、カードＣの四隅の一個所を、片面をフラットにしたクリップ１の押え板部１ｃとカード保持板３との間に挿入する。これにより、カードホルダーは、カードＣをカード保持板３の表面に収納保持することができる。
また、このカードホルダーは、先にカード保持板３に収納保持されたカードＣの表面に別のカードＣを重ね合わせ、この状態で重ね合わせた別のカードＣを先のカードＣに沿わしてスライドさせ、スライドさせたカードＣの四隅の一個所を、クリップ１の押え板部１ｃと先のカードＣとの間に挿入することによって、カードＣを重ねた状態で収納保持することができる。
尚、複数枚のカードＣを予め重ね合わせ、この重ね合わせたカードＣをカード保持板３に沿わせてスライドさせ、クリップ１の押え板部１ｃとカード保持板３との間に挿入するようにしても良い。
【００４６】
一方、カードホルダーに収納保持したカードＣを取り出すには、カードＣを指でクリップ１から離れる方向へスライドさせ、クリップ１の押え板部１ｃから引き抜く。これにより、カードホルダーからカードＣを取り出すことができる。
【００４７】
上述したカードホルダーは、矩形状のカード保持板３の表面に弾性を有する金属板製のクリップ１により複数枚のカードＣを重ねた状態で保持することができるため、一つのカードホルダーで多数枚のカードＣを収納保持することができ、カードＣの保管や管理に便利なものとなる。
また、このカードホルダーは、クリップ１のフラットなプレート状の基板部１ｂの内面を接着剤又は両面粘着テープによりカード保持板３の裏面に貼り付けることによって、クリップ１をカード保持板３に固定するようにしているため、クリップ１のカード保持板３への取り付けを簡単且つ容易に行えると共に、クリップ１がカード保持板３の一辺に安定した姿勢で取り付けられる。
更に、このカーホルダーは、矩形状のカード保持板３の一辺にクリップ１を取り付けているため、カード保持板３の残りの三辺は何も設けていない状態となっているので、カードＣの出し入れを多方向から行えて取扱性に優れたものとなる。
そのうえ、このカードホルダーは、カード保持板３の四隅の一個所にクリップ１を取り付けているため、カード保持板３の表面に重ねた状態で収納保持した複数枚のカードＣを図９に示すように扇形に開いた状態で保持することができ、各カードＣの表面を見ることができてカードＣの種類を瞬時に判別できる。
加えて、このカードホルダーは、押え板部１ｃの内面に合成樹脂製の保護シート２を貼り付けているため（又は押え板部１ｃの内面に合成樹脂のコーティング２′を施しているため）、保護シート２がガイド機能を有し、カード自体の挿入が容易になると共にカードＣ自体が傷付くのを防止することができる。
【００４８】
図１０及び図１１は本考案の他の実施の形態に係るカードホルダーを示し、当該カードホルダーは、表面にカードＣを保持できる図５乃至図９に示す矩形状のカード保持板３と、カード保持板３の一辺に取り付けられる図１及び図２に示すクリップ１とから成り、クリップ１の基板部１ｂと押え板部１ｃとの間にカード保持板３の一辺を挿入し、片面をフラットにしたクリップ１の基板部１ｂの外面及びカード保持板３の裏面全域に粘着層を有するシート材５を貼り付けることによって、クリップ１をカード保持板３に固定するようにしたものである。
尚、保護シート２は、図１１に示すように、その先端２“を基板部１bの外方へ僅かに突出させておくのが望ましい。
【００４９】
前記シート材５は、カード保持板３と同じ大きさ及び同じ形状に形成した合成樹脂フィルム製又は合成樹脂板製若しくは紙製のシート状基材の裏面全域に粘着剤を塗布して粘着層を形成したものであり、当該シート材５を、カード保持板３の四隅の一個所（カード保持板３の一方の長辺側端部）に挿着した片面をフラットにしたクリップ１の基板部１ｂの外面及びカード保持板３の裏面全域に貼り付けることによって、クリップ１をカード保持板３の一辺に取り付けることができるようになっている。
また、シート材５の表面には、メーカー名や商品名等の文字や図形、写真等が印刷等により表示されており、シート材５の表面は、宣伝広告用の表示部となっている。
【００５０】
上述したカードホルダーは、図５乃至図９に示すカードホルダーと同様の作用効果を奏することができる。然も、このカードホルダーは、クリップ１をシート材５によりカード保持板３に固定するようにしているため、クリップ１がカード保持板３の一辺により一層安定した姿勢で強固に取り付けられることになり、クリップ１がカード保持板３から脱落するのを確実に防止することができる。また、このカードホルダーは、シート材５の表面にも文字や図形、写真を入れ、シート材５の表面を宣伝広告用の表示部としているため、優れた宣伝効果や広告効果が得られ、カードホルダーのグレードをより高めることができる。
【００５１】
図１２及び図１３は本考案の更に他の実施の形態に係るカードホルダーを示し、当該カードホルダーは、表面にカードＣを保持できる図５乃至図９に示す矩形状のカード保持板３と、カード保持板３の一辺に取り付けられる図３及び図４に示すクリップ１とから成り、クリップ１の基板部１ｂと押え板部１ｃとの間にカード保持板３の一辺を挿入し、基板部１ｂに形成した二つの係止片１ｄをカード保持板３の裏面側からカード保持板３に差し込んで係止させることによって、クリップ１をカード保持板３に固定するようにしたものである。
また、保護シート２は、図１３に示すように、その先端２“を基板部１bの外方へ僅かに突出させている。
【００５２】
尚、この実施の形態に於いては、クリップ１の基板部１ｂに形成した係止片１ｄをカード保持板３の裏面側からカード保持板３に差し込んで係止させることによって、クリップ１をカード保持板３に固定するようにしたが、カード保持板３に基板部１ｂの係止片１ｄが挿入係止されるスリット状の溝を予め形成しておき、このスリット状の溝に基板部１ｂの係止片１ｄを挿入することによって、クリップ１をカード保持板３に固定するようにしても良い。
【００５３】
上述したカードホルダーも、図５乃至図９に示すカードホルダーや図１０及び図１１に示すカードホルダーと同様の作用効果を奏することができる。
【００５４】
尚、図１乃至図１３に示す実施の形態に於いては、何れもクリップ１を、弾性を有する金属板により形成したが、他の実施の形態に於いては、クリップ１を、弾性を有する合成樹脂板により形成するようにしても良い。
【００５５】
図１乃至図４に示す実施の形態に於いては、クリップ１は、その基板部１ｃの内面に保護シート２を貼り付けてカードホルダーに用いるクリップ１としたが、他の実施形態に於いては、図示していないが、保護シート２を省略してペーパーホルダーに用いるクリップ１としても良い。
【００５６】
図３及び図４に示す実施の形態に於いては、クリップ１の基板部１ｂの先端両側にそれぞれ係止片１ｄを形成するようにしたが、係止片１ｄを形成する位置及び係止片１ｄの数はこれに限定されるものではない。例えば、係止片１ｄは、基板部１ｂの先端片側のみに形成するようにしても良い。また、係止片１ｄは、基板部１ｂの基端両側又は基端片側のみに形成するようにしても良い。更には、係止片１ｄは、基板部１ｂの先端両側及び基端両側にそれぞれ形成しても良く、或いは基板部１ｂの先端片側及び基端片側にそれぞれ形成するようにしても良い。
【００５７】
図３及び図４に示す実施の形態に於いては、クリップ１の基板部１ｂの係止片１ｄは、基板部１ｂの先端両側の隅角部を押え板部１ｃ側へ折り曲げることにより形成しているが、他の実施の形態に於いては、基板部１ｂの適宜の個所に適宜の形状の切り目（例えば、コ字状の切り目等）を形成し、この切り目部分を押え板部１ｃ側へ折り曲げることによって、係止片１ｄを形成するようにしても良い。
【００５８】
図１乃至図１３に示す実施の形態に於いては、クリップ１の基板部１ｂと押え板部１ｃとを略同じ大きさに形成したが、他の実施の形態に於いては、基板部１ｂを押え板部１ｃよりも大きめに形成するようにしても良い。この場合には、基板部１ｂのカード保持板３に対する密着面積が広くなるので、クリップ１をカード保持板３により一層安定した姿勢で取り付けることができる。
【００５９】
図５乃至図１３に示す実施の形態に於いては、クリップ１をカード保持板３の四隅の一個所取り付けたが、他の実施の形態に於いては、クリップ１をカード保持板３の一方の短辺側の中央部又はカード保持板３の一方の長辺側の中央部に取り付けるようにしても良い。
【００６０】
図１０及び図１１に示す実施の形態に於いては、クリップ１をシート材５によりカード保持板３に取り付けるようにしたが、他の実施の形態に於いては、クリップ１の基板部１ｂの内面を接着剤又は両面粘着テープによりカード保持板３の裏面に貼り付けた後、クリップ１の基板部１ｂの外面及びカード保持板３の裏面全域にシート材５を貼り付けることによってクリップ１をカード保持板３に固定するようにしても良い。この場合には、クリップ１をカード保持板３により一層確実且つ強固に取り付けることができる。
【００６１】
図１２及び図１３に示す実施の形態に於いては、クリップ１を基板部１ｂに形成した係止片１ｄでカード保持板３に取り付けるようにしたが、クリップ１の基板部１ｂの内面を接着剤又は両面粘着テープによりカード保持板３の裏面に貼り付けると共に、係止片１ｄによってもクリップ１をカード保持板３に取り付けるようにしても良い。この場合にも、クリップ１をカード保持板３により一層確実且つ強固に取り付けることができる。
【００６２】
図５及び図１２に示す実施の形態に於いては、カード保持板３の表面のみに宣伝広告用のシール４を貼り付けるようにしたが、他の実施の形態に於いては、カード保持板３の裏面のみに宣伝広告用のシール４を貼り付けるようにしても良く、また、カード保持板３の表面及び裏面の両方に宣伝広告用のシール４を貼り付けるようにしても良い。
【符号の説明】
【００６３】
１はクリップ、１ａは背板部、１ｂは基板部、１ｃは押え板部、１ｃ′は湾曲部、１ｄは係止片、２は保護シート、２′はコーティング、２″は保護シートの先端、３はカード保持板、４はシール、５はシート材、Ｃはカード。
【図１】
0003150715.tif 000003
【図２】
0003150715.tif 000004
【図３】
0003150715.tif 000005
【図４】
0003150715.tif 000006
【図５】
0003150715.tif 000007
【図６】
0003150715.tif 000008
【図７】
0003150715.tif 000009
【図８】
0003150715.tif 000010
【図９】
0003150715.tif 000011
【図１０】
0003150715.tif 000012
【図１１】
0003150715.tif 000013
【図１２】
0003150715.tif 000014
【図１３】
0003150715.tif 000015